(57)【要約】【課題】ガラス破損音を監視し、ガラス破損音が生じた際に警報を鳴らすシステムにおいて、誤警報を生じ難くすることができる警報装置を提供する。【解決手段】車両１に、２つのマイクロフォン２，３を車両１の高さ方向に並設して配置する。マイクロフォン２，３から等距離に位置する線を等距離線Ｌ１とすると、この等距離線Ｌ１がガラス面よりも下に位置するようにマイクロフォン２，３を配置する。車内でガラス破損音が発生した際、その音がマイクロフォン３よりも先にマイクロフォン２に到達した場合には警報を鳴らし、マイクロフォン２よりも先にマイクロフォン３に音が到達した際には、その音がガラス破損音の類似音と認識して警報を鳴らさないようにする。【選択図】図１
2007233434.tif 000002
【特許請求の範囲】
【請求項１】
監視対象で鳴らされた音を検出可能であり、組を成すもの同士の間における音の検出タイミングを見た際にそのタイミングからガラス割れを判別可能となる位置に配置された複数の音検出手段と、
前記音検出手段からの検出信号を基にして前記音検出手段ごとにガラス破損音を抽出し、当該ガラス破損音があった際に、その音検出タイミングでガラス破損の旨を通知する通知信号を前記音検出手段ごとの信号で出力する音判別手段と、
前記音判別手段から各々得た前記通知信号を用い、前記音検出タイミングに基づきガラス破損の有無を判定し、前記ガラス破損有りと判定すると警報手段に警報を行わせる判定手段と
を備えたことを特徴とする警報装置。
【請求項２】
複数の前記音検出手段は、前記監視対象の高さ方向に並びつつ、しかもこれら当該音検出手段から等距離の位置にある等距離線が、ガラス面よりも下方位置となる位置に配置され、
前記判定手段は、前記等距離線よりも下側に位置する音検出手段に先んじて、当該等距離線よりも上側に位置する位置する音検出手段で前記ガラス破損音を検出した際に、前記警報手段で警報を鳴らすことを特徴とする請求項１に記載の警報装置。
【請求項３】
複数の前記音検出手段は、前記監視対象の幅方向に並んだ状態で配置され、
前記判定手段は、２つの前記音検出手段の距離差が一定である点の集合をとり、当該集合がガラスの全領域を覆う時に決まる前記距離差から求まる時間差を閾値として設定し、２つある前記音検出手段がガラス破損音を検出した際、当該ガラス破損音の検出タイミングの実測時間差が閾値以上となると、前記警報手段で警報を鳴らすことを特徴とする請求項１に記載の警報装置。
【発明の詳細な説明】
【技術分野】
【０００１】
本発明は、監視対象への不正侵入を監視し、不正侵入があったと判定した際に警報を鳴す警報装置に関する。
【背景技術】
【０００２】
従来、駐車車両へ不正侵入があったと判定した際にブザーやホーン等で警報を鳴らす車両警報装置を搭載した車両がある。駐車車両への不正侵入を検出する方法としては、ガラス等が割られる際の破損音をマイクロフォン等で検出して警報を鳴らすものがあり、その例が特許文献１，２に開示されている。
【特許文献１】特開２００５−１２８６２０号公報
【特許文献２】特開２００５−７８４９９号公報
【発明の開示】
【発明が解決しようとする課題】
【０００３】
ところが、この種の車両警報装置においては、マイクロフォンで検出した音がガラスの破損音であるのか、それとも他の音であるのかを判別する必要がある。しかしながら、ガラスの破損音と類似した音をマイクロフォンで検出した場合には、それに基づいてブザーやホーンが鳴ることになり、誤警報が生じる問題があった。
【０００４】
本発明の目的は、ガラス破損音を監視し、ガラス破損音が生じた際に警報を鳴らすシステムにおいて、誤警報を生じ難くすることができる警報装置を提供することにある。
【課題を解決するための手段】
【０００５】
前記問題点を解決するために、本発明によれば、監視対象で鳴らされた音を検出可能であり、組を成すもの同士の間における音の検出タイミングを見た際にそのタイミングからガラス割れを判別可能となる位置に配置された複数の音検出手段と、前記音検出手段からの検出信号を基にして前記音検出手段ごとにガラス破損音を抽出し、当該ガラス破損音があった際に、その音検出タイミングでガラス破損の旨を通知する通知信号を前記音検出手段ごとの信号で出力する音判別手段と、前記音判別手段から各々得た前記通知信号を用い、前記音検出タイミングに基づきガラス破損の有無を判定し、前記ガラス破損有りと判定すると警報手段に警報を行わせる判定手段とを備えたことを要旨とする。
【０００６】
この構成によれば、監視対象で何某か音が発生した際、複数ある音検出手段は、音発生位置との間の距離に応じたタイミングでその音を各々検出し、それを検出信号として音判別手段に各々個別のタイミングで出力する。これら検出信号を取り込んだ音判別手段は、検出信号に基づき各々の検出音がガラス破損音であるか否かを判別し、ガラス破損音でなければそれを無視し、ガラス破損音と判別した際には、音検出手段がガラス破損音を検出したタイミングで、ガラス破損があった旨を通知する通知信号を音検出手段ごとに判定手段に出力する。
【０００７】
判定手段は、判定手段からこれら通知信号を入力すると、その信号入力タイミング、つまり音検出手段の音検出タイミングが、ガラス破損音を検出した時の順序或いは時間差のタイミングに基づくものであるか否かを見ることにより、ガラス破損の有無を判定する。ガラス破損有りと判定した判定手段は、ガラスが取り付けられた監視対象に不正侵入が生じ得ると判定し、それを防ぐべく警報手段により警報を行わせる。
【０００８】
一方、ガラス破損音に類似した他の音が監視対象で発生したとする。この類似音は、ガラス以外の場所で発生するため、ガラス破損時の音発生位置、つまりガラス位置とは異なる位置から発生することになる。よって、このときの音判別手段は、ガラス破損音を検出する時とは異なる順序或いは時間差のタイミングで、音検出手段から検出信号を入力することになる。このため、判定手段は、ガラス破損音とは認識しない順序或いは時間差のタイミングで音判定手段から通知信号を入力することになり、ガラス破損の類似音を検出しても警報を鳴らす動作は行わない。
【０００９】
従って、監視対象に発生する音により監視対象への不正侵入を監視して警報を鳴らす本発明を用いた場合、ガラス破損音と類似した音が発生したとしても、複数の音検出手段を使用し、音の検出タイミングから音を識別するので、類似音をガラス破損音として認識せずに済む。よって、音により監視対象への不正侵入を監視する構成を用いたとしても、誤警報を生じ難くすることが可能となる。
【００１０】
本発明によれば、複数の前記音検出手段は、前記監視対象の高さ方向に並びつつ、しかもこれら当該音検出手段から等距離の位置にある等距離線が、ガラス面よりも下方位置となる位置に配置され、前記判定手段は、前記等距離線よりも下側に位置する音検出手段に先んじて、当該等距離線よりも上側に位置する位置する音検出手段で前記ガラス破損音を検出した際に、前記警報手段で警報を鳴らすことを要旨とする。
【００１１】
この構成によれば、ガラス割れが生じた際には、等距離線（ガラス面）よりも上側に位置する音検出手段が、等距離線よりも下側に位置する音検出手段に先んじてガラス破損音を検出する。よって、判定手段は、等距離線よりも上側に位置する音検出手段で先にガラス破損音を検出すると、警報手段に警報を出させ、等距離線よりも下側に位置する音検出手段で先にガラス破損音を検出すると、それはガラス破損音の類似音であると判定して、警報手段から警報を出させない。よって、ガラス破損音の類似音を音検出手段で検出しても、それにより警報が出されずに済み、誤警報を防止することが可能となる。
【００１２】
本発明によれば、複数の前記音検出手段は、前記監視対象の幅方向に並んだ状態で配置され、前記判定手段は、２つの前記音検出手段の距離差が一定である点の集合をとり、当該集合がガラスの全領域を覆う時に決まる前記距離差から求まる時間差を閾値として設定し、２つある前記音検出手段がガラス破損音を検出した際、当該ガラス破損音の検出タイミングの実測時間差が閾値以上となると、前記警報手段で警報を鳴らすことを要旨とする。
【００１３】
この構成によれば、ガラス割れが生じた際、２つある音検出手段のうち割れガラスに近い側の音検出手段は直ぐにそのガラス破損音を検出し、他方の音検出手段はそれに比べて暫くしてからガラス破損音を検出することになり、２つの音検出手段間のガラス破損音の検出タイミングの実測時間差は長いものとなる。よって、２つの音検出手段においてガラス破損音の検出タイミングの実測時間差が閾値以上となる場合には、ガラス破損が生じたと判定して警報を鳴らす。
【００１４】
一方、ガラス破損音の類似音が発生した場合、その類似音は監視対象のガラスから離れた位置で発生することが多いため、２つの音検出手段はその類似音を大きな時間差なく検出することになり、２つの音検出手段がガラス破損音の類似音を検出した際の検出タイミングの実測時間差は短いものとなる。よって、２つの音検出手段においてガラス破損音の検出タイミングの実測時間差が閾値未満となる場合には、ガラス破損音と類似音が発生したと判断して、警報を鳴らさないようにする。よって、ガラス破損音の類似音を音検出手段で検出しても、それにより警報が出されずに済み、誤警報を防止することが可能となる。
【発明の効果】
【００１５】
本発明によれば、ガラス破損音を監視し、ガラス破損音が生じた際に警報を鳴らすシステムにおいて、誤警報を生じ難くすることができる。
【発明を実施するための最良の形態】
【００１６】
（第１実施形態）
以下、本発明を具体化した警報装置の第１実施形態を図１〜図３に従って説明する。
図１（ａ），（ｂ）に示すように、車両１の室内には、車内に発生する各種音を集音する複数（本例は２つ）のマイクロフォン２，３が取り付けられている。これらマイクロフォン２，３は、車両１への不正侵入を狙った盗難者がガラス４を割った際に、そのガラス破損音を検出するセンサとして機能する。なお、車両１が監視対象に相当し、マイクロフォン２，３が音検出手段に相当する。
【００１７】
マイクロフォン２，３は、図１（ａ）に示すように車両１の底面に対して垂直方向（高さ方向）に並設されるとともに、図１（ｂ）に示すように車幅方向中央位置に配置されている。２つあるマイクロフォン２，３は、垂直方向上側にあるマイクロフォン２が車内天井５に埋設されるとともに、垂直方向下側にあるマイクロフォン３が車内床面６に埋設されている。
【００１８】
図１（ａ）に示すように、各マイクロフォン２，３から等距離となる線（以下、等距離線と記す：図１（ａ）の破線）Ｌ１をとった場合、マイクロフォン２，３の配置位置は、この等距離線Ｌ１が車両１のガラス面よりも下に位置するように設定されている。また、等距離線Ｌ１の下側位置には、車内空調システムを統括制御するエアコンＥＣＵ７や、車内のインストルパネル部分を構成する樹脂部材８が配置されている。エアコンＥＣＵ７は、筐体部分である樹脂パッケージが冷えて縮んだ際にガラス破損音に非常に類似した音を発生する性質があり、樹脂部材８にもこのような性質を持つものがある。
【００１９】
図２に示すように、マイクロフォン２，３には、これらマイクロフォン２，３が検出した音がガラス破損であるか否かを判定するガラス割れＥＣＵ９が接続されている。ガラス割れＥＣＵ９は、複数のＡ／Ｄ端子９ａ，９ｂを有し、これらＡ／Ｄ端子９ａ，９ｂに各マイクロフォン２，３がそれぞれ接続されている。マイクロフォン２，３は、ガラス４が金属等で強打された際、その時の音圧が加えられ、アナログ状のガラス割れセンサ処理信号Ｓa1，Ｓa2をガラス割れＥＣＵ９に出力する。なお、マイクロフォン２，３の前面には、共振器を設けることにより固有の周波数が増幅されている。
【００２０】
ガラス割れＥＣＵ９には、検出したガラス破損音がガラス割れによるものか或いは類似音であるかを判定するメインＥＣＵ１０が接続されている。ガラス割れＥＣＵ９及びメインＥＣＵ１０は、それぞれ独立した１チップＩＣから成るとともに、マイクロフォン２，３ごとに設けられた配線１１ａ，１１ｂにより接続されている。なお、ガラス割れＥＣＵ９が音判別手段に相当し、メインＥＣＵ１０が判定手段に相当する。
【００２１】
ガラス割れＥＣＵ９は、各マイクロフォン２，３から入力したガラス割れセンサ処理信号Ｓa1，Ｓa2を検波し、これら信号Ｓa1，Ｓa2を各々測定する。ガラス割れＥＣＵ９は、これらガラス割れセンサ処理信号Ｓa1，Ｓa2がガラス破損を表す規定内のものであれば、それをガラス割れ信号Ｓx1，Ｓx2として処理してメインＥＣＵ１０に出力する。メインＥＣＵ１０は、ガラス割れＥＣＵ９から入力したガラス割れ信号Ｓx1，Ｓx2に基づき、車両１に備え付けたホーン１２やブザー１３により警報を出力する。なお、ホーン１２やブザー１３が警報手段を構成する。
【００２２】
次に、車内にガラス破損音が発生した際の動作を説明する。
図３（ａ）に示すように、車内にある種の音が発生した場合、この音を検出したマイクロフォン２，３は、音の周波数、強度（大きさ）、発生時間などに応じた図３（ｂ）に示すようなアナログ状のガラス割れセンサ処理信号Ｓa1，Ｓa2をガラス割れＥＣＵ９に各々出力する。例えば、ガラス破損音等の大きな音が発生すれば、信号強度が大きくしかも高い強度レベルが長時間続くガラス割れセンサ処理信号Ｓa1，Ｓa2がマイクロフォン２，３から出力される。
【００２３】
このとき、ガラス割れＥＣＵ９は、図３（ｂ）に示すガラス割れセンサ処理信号Ｓa1，Ｓa2を検波し、これに周波数、強度（電圧）、時間によりフィルタをかけ、図３（ｃ）に示すようなパルス信号Ｓb1，Ｓb2に変換する。即ち、ガラス割れＥＣＵ９は、入力したガラス割れセンサ処理信号Ｓa1，Ｓa2を、ガラス破損音と見なし得る周波数ｆを有しつつその信号強度がスレッシュレベルＶｘ以上となる時にＬレベルとなるパルス信号Ｓb1，Ｓb2に変換し、このＬレベルの時間が一定時間Ｔ１続けば、この時に入力したガラス割れセンサ処理信号Ｓa1，Ｓa2をガラス破損音とみなし、図３（ｄ）に示すような所定時間Ｔ２（＞Ｔ１）においてＬレベルとなったガラス割れ信号Ｓx1，Ｓx2をメインＥＣＵ１０に出力する。
【００２４】
一方、図３（ｂ）に示すように、車内に音が発生しても、それが例えばガラス割れセンサ処理信号Ｓa1，Ｓa2の信号強度の最大値がスレッシュレベルＶｘを超えなかったり、或いはスレッシュレベルＶｘを超えたとしてもその時間が一定時間Ｔ１を満たさなかったりした場合には、この時に検出したガラス割れセンサ処理信号Ｓa1，Ｓa2をガラス破損音ではないと判定して、ガラス割れ信号Ｓx1，Ｓx2をメインＥＣＵ１０に出力しない状態をとる。なお、ガラス割れセンサ処理信号Ｓa1，Ｓa2が検出信号に相当し、ガラス割れ信号Ｓx1，Ｓx2が通知信号に相当する。
【００２５】
車内でガラス破損音が発生した場合、２つのマイクロフォン２，３でガラス破損音を検出することになるが、この時のガラス割れＥＣＵ９は、それぞれのマイクロフォン２，３からガラス割れセンサ処理信号Ｓa1，Ｓa2を入力することになる。このとき、例えばガラス４を強打したことによるガラス破損音が生じた場合、その時の音発生位置というのは、等距離線Ｌ１よりも上方位置である。
【００２６】
よって、この時の音発生位置と各マイクロフォン２，３との間の距離は、マイクロフォン３に比べて、マイクロフォン２の方が音発生位置に近い状態となる。このため、等距離線Ｌ１よりも上側にあるマイクロフォン２が、マイクロフォン３に先んじたタイミングでガラス破損音を検出する。従って、ガラス割れＥＣＵ９は、マイクロフォン２側で検出したガラス割れ信号Ｓx1を先にメインＥＣＵ１０に出力し、その後に、マイクロフォン３側で検出したガラス割れ信号Ｓx2をメインＥＣＵ１０に出力する。
【００２７】
一方、ガラス破損音の類似音は、エアコンＥＣＵ７の樹脂パッケージが冷えて縮んだ際に生じる音や、車内にある樹脂部材８の樹脂縮みによる音が原因であるものが多いため、等距離線Ｌ１よりも下方位置で音が発生することになる。つまり、ガラス破損音は、等距離線Ｌ１よりも上方位置が音発生位置になるのに対し、ガラス破損音の類似音は、その音発生位置が等距離線Ｌ１よりも下方位置である場合が多い。
【００２８】
ガラス破損音の類似音発生時、この時の音発生位置と各マイクロフォン２，３との間の距離は、マイクロフォン２に比べて、マイクロフォン３の方が音発生位置に近い状態となる。このため、等距離線Ｌ１よりも下側にあるマイクロフォン３が、マイクロフォン２に先んじてこの類似音を検出することになる。従って、ガラス割れＥＣＵ９は、マイクロフォン３側で検出したガラス割れ信号Ｓx2を先にメインＥＣＵ１０に出力し、その後に、マイクロフォン２側で検出したガラス割れ信号Ｓx1をメインＥＣＵ１０に出力する。
【００２９】
メインＥＣＵ１０は、ガラス割れＥＣＵ９からガラス割れ信号Ｓx2よりも先にガラス割れ信号Ｓx1を入力すると、ガラス４が割られたことによる車両１への不正侵入が発生したと認識して、ホーン１２やブザー１３で警報を発生させる。一方、メインＥＣＵ１０は、ガラス割れＥＣＵ９からガラス割れ信号Ｓx1よりも先にガラス割れ信号Ｓx2を入力すると、この時に発生した音はガラス破損音の類似音であると認識して、警報動作は行わせない。
【００３０】
なお、エアコンＥＣＵ７（樹脂部材８）及びマイクロフォン２間の距離と、エアコンＥＣＵ７（樹脂部材８）及びマイクロフォン３間の距離との距離差を、例えば１０cm程度存在すれば、音がそれぞれのマイクロフォン２，３に到達する時に要する伝播時間差が約０．３msとなり、問題なく動作可能である。
【００３１】
従って、本例においては、等距離線Ｌ１の下側位置でガラス破損音の類似音が発生したとしても、ガラス破損音とその類似音とを識別することが可能であるため、それをガラス破損音と認識して警報を鳴らすような動作はとらない。このため、車内で発生する音により車内への不正侵入を監視する警報装置であっても、ガラス破損音の類似音で警報が鳴らされずに済み、誤警報を防止することが可能となる。
【００３２】
本実施形態の構成によれば、以下に記載の効果を得ることができる。
（１）ガラス破損音を検出した際に警報を鳴らすシステムにおいて、車内でガラス破損音に類似した音が発生しても、その音と実際のガラス破損音とを区別することが可能であるので、誤警報を発生し難くすることができる。
【００３３】
（２）２つあるマイクロフォン２，３のうちどちらに早く音が到達するか見るという簡単な方法で、検出音がガラス破損音か或いは類似音かを判定するので、複雑で込み入った方法を用いずに、ガラス破損音の誤検出を抑制することができる。
【００３４】
（第２実施形態）
次に、本発明を具体化した第２実施形態を図４〜図６に従って説明する。なお、第２実施形態は、マイクロフォン２，３の配置パターンが第１実施形態と異なり、他の基本的な構成部分は同様である。よって、第１実施形態と同様部分は同一符号を伏して詳しい説明を省略し、異なる部分についてのみ説明する。
【００３５】
マイクロフォン２，３は、図４（ａ）に示すように車両１の車幅方向に並設されるとともに、図４（ｂ）に示すように車両１の高さ方向において同じ高さ位置に配置されている。本例においては、マイクロフォン２が運転席ドア１５のドア内壁に埋設され、マイクロフォン３が助手席ドア１６のドア内壁に埋設されている。
【００３６】
メインＥＣＵ１０は、ガラス割れＥＣＵ９から２つのガラス割れ信号Ｓx1，Ｓx2を入力した際、ガラス割れ信号Ｓx1，Ｓx 2を入力した時点での時間Ｔａ，Ｔｂをそれぞれ求める。そして、メインＥＣＵ１０は、図５に示すようにこれら入力タイミングの時間差Ｔｓ（＝Ｔａ−Ｔｂ）を絶対値でとり、この時間差Ｔｓと閾値Ｔｘとを比較することにより、その時に検出した音がガラス破損音か或いは類似音か否かを判定する。
【００３７】
この閾値Ｔｘは、２つのマイクロフォン２，３からの距離差が一定であるような点をプロットした集合に相当し、これは図４（ａ）に示すような双曲線Ｌ２として求まる。この双曲線Ｌ２は、その内側領域（図４（ａ）の点領域）においてガラス４の全領域を覆うような値として求められる。
【００３８】
閾値Ｔｘの求め方は以下の通りである。図６に示すように、Ｘ−Ｙ座標上に車両１を置いた場合を考えると、双曲線Ｌ２の式は、車両１の前後方向をＹ軸、車両１の車幅方向をＸ軸とすると、次式(1)を満たす。
【００３９】
【数１】
2007233434.tif 000003
また、この双曲線Ｌ２の２つの焦点Ｐ，Ｑは、マイクロフォン２，３の座標位置に相当し、次式(2)，(3)をそれぞれ満たす。
【００４０】
【数２】
2007233434.tif 000004
【００４１】
【数３】
2007233434.tif 000005
そして、これら焦点Ｐ，Ｑは、図６の座標から既知の値として求まることから、この既知を(2)式（或いは(3)式）に代入すると、ａとｂの関係式（ｂ＝ｋａ（ｋは定数））を導き出すことができる。そして、この関係式を式(1)のｂに代入すれば、式(1)からｂを省略することができる。
【００４２】
続いて、ガラス全域を覆うような双曲線Ｌ２の１点を図６の座標上から選び出し、その座標値を、ｂを省略した式(1)に代入する。ここで、２つのマイクロフォン２，３からの距離差が一定である点は、式(1)において「２ａ」で算出されることから、ガラス全域を覆うような双曲線Ｌ２の１点の座標値を式(1)に代入した際には、その代入後の式から「２ａ」の値を求め、それを音速で割ると、その値が閾値Ｔｘとして算出される。
【００４３】
メインＥＣＵ１０は、ガラス割れＥＣＵ９から２つのガラス割れ信号Ｓx1，Ｓx2を入力した際、これら入力タイミングの時間差Ｔｓを絶対値で算出し、この時間差Ｔｓと閾値Ｔｘとを比較する。ここで、時間差Ｔｓが閾値Ｔｘ以上となれば、その際の音発生位置は双曲線Ｌ２の内側領域にあるため、発生音がガラス破損音である可能性が高い。よって、メインＥＣＵ１０は、時間差Ｔｓが閾値Ｔｘ以上となれば、音がガラス破損音であると認識し、ホーン１２やブザー１３で警報を鳴らす。
【００４４】
一方、時間差Ｔｓが閾値Ｔｘ未満であれば、その際の音発生位置は双曲線Ｌ２の外側領域であるため、ガラス４から離れた位置で生じた音であることから、それはガラス破損音に類似した音である可能性が高い。よって、メインＥＣＵ１０は、時間差Ｔｓが閾値Ｔｘ未満となれば、その際に生じた音はガラス破損音の類似音であると認識し、ホーン１２やブザー１３による警報は行わない。
【００４５】
従って、本例においても、ガラス破損音とその類似音とを識別することが可能となるため、ガラス破損音の類似音で警報が鳴らされずに済み、誤警報を防止することが可能となる。また、第１実施形態で述べた方法で誤警報を検出する場合には、等距離線Ｌ１よりも上側でガラス破損音の類似音が発生すると、それをガラス割れ検出して警報を発してしまうことから、その場合の誤警報は防止できないが、本例の方法を用いてガラス破損音を検出する方法を用いれば、この種の誤警報が生じずに済む。
【００４６】
本実施形態の構成によれば、第１実施形態の（１）に記載の効果に加え、以下に記載の効果を得ることができる。
（３）第１実施形態で述べた方法で誤警報を検出する場合には、等距離線Ｌ１よりも上側でガラス破損音の類似音が発生すると、それをガラス割れ検出して警報を発してしまうが、本例の方法を用いてガラス破損音を検出する方法を用いれば、この種の誤警報を防止することができる。
【００４７】
なお、本実施形態は上記構成に限定されず、以下の態様に変更してもよい。
・  第１実施形態において、マイクロフォン２，３の配置位置は、必ずしも底面に対して高さ方向に真っ直ぐ並んだ状態に配置されることに限定されない。即ち、マイクロフォン２，３からの等距離線Ｌ１がガラス面よりも下に位置していれば、マイクロフォン２，３の位置は自由に設定することが可能である。
【００４８】
・  第２実施形態において、マイクロフォン２，３の高さ位置は同じ高さに配置されることに限らず、各々異なる高さ位置に配置されてもよい。
・  第２実施形態において、ガラス割れの監視対象は、マイクロフォン２，３をサイドドアに配置することにより、サイドドアのガラス４とすることに限定されない。例えば、車両１の運転席前部及びリヤ席後部の各々にマイクロフォン２，３を設置することにより、車両１のフロントガラスとリヤガラスとを監視対象としてもよい。また、例えば両サイドドア、運転席前部及びリヤ席後部の全てにマイクロフォンを設置することにより、サイドガラス、フロントガラス及びリヤガラスの全てのガラス割れを監視してもよい。
【００４９】
・  第２実施形態において、閾値Ｔｘは固定値であることに限定されず、例えば車内に閾値設定ボリュームを設け、このボリュームを操作することにより、閾値Ｔｘを自由に設定可能としてもよい。これは、検出音がガラス破損音であるか否かを判定する際に用いるスレッシュレベルＶｘにおいても同様の事が言える。
【００５０】
・  第１及び第２実施形態において、ガラス割れを検出したときに行う警報は、必ずしもホーン１２やブザー１３による音の警報に限定されない。例えば、ハザードを複数回点滅させたり、ヘッドライトを複数回点灯させたりすることで警報を行ってもよい。
【００５１】
・  第１及び第２実施形態において、本例の監視装置の監視対象は、必ずしも車両１であることに限らず、例えば住宅など、ガラス４を備えるものであれば特に限定されない。
次に、上記実施形態及び別例から把握できる技術的思想について、それらの効果とともに以下に追記する。
【００５２】
（１）請求項１〜３において、前記監視対象は、車両であり、前記音判別手段は、当該車両に備え付けられたガラス破損音の有無を監視する。この場合、本発明の警報装置は車両に搭載されることになるため、侵入者がガラスを割って車内へ不正侵入することを発生し難くすることができる。
【図面の簡単な説明】
【００５３】
【図１】第１実施形態における車両の概略図であり、（ａ）が車両の側視図、（ｂ）が車両の後視図。
【図２】警報装置の概略構成を示すブロック図。
【図３】（ａ）はガラス破損音の発生タイミングを示す波形図、（ｂ）はマイクロフォンから出力されるガラス割れセンサ処理信号の波形図、（ｃ）はガラス割れＥＣＵがガラス割れセンサ処理信号を検波処理した際のパルス信号の波形図、（ｄ）はガラス割れＥＣＵが出力するガラス割れ信号の波形図。
【図４】第２実施形態においける車両の概略図であり、（ａ）が車両の平視図、（ｂ）が車両の後視図。
【図５】警報装置の概略構成を示すブロック図。
【図６】ガラス破損音と類似音とを識別する際に用いる閾値の求め方を説明する座標図。
【符号の説明】
【００５４】
１…監視対象としての車両、２，３…音検出手段としてのマイクロフォン、４…ガラス、９…音判別手段としてのガラス割れＥＣＵ、１０…判定手段としてのメインＥＣＵ、１２…警報手段を構成するホーン、１３…警報手段を構成するブザー、Ｓa1，Ｓa2…検出信号としてのガラス割れセンサ処理信号、Ｓx1，Ｓs2…通知信号としてのガラス割れ信号、Ｌ１…等距離線、Ｔｓ…時間差、Ｔｘ…閾値。
【図１】
2007233434.tif 000006
【図２】
2007233434.tif 000007
【図３】
2007233434.tif 000008
【図４】
2007233434.tif 000009
【図５】
2007233434.tif 000010
【図６】
2007233434.tif 000011